(57)【要約】【課題】簡単な構成でグリル皿の出し入れをスムーズに行えるグリル調理器を提供することを目的とする。【解決手段】グリル皿２の出し入れの際に摺動するグリル庫１の内面と、グリル皿２の裏面と、グリル扉４とグリル皿２を連結する連結部材５の表面に、フッ素樹脂を含有する表面処理を施し、摺動面の摩擦抵抗を低減させることにより、グリル皿２のスムーズな出し入れを実現できる。【選択図】図１
2006109898.tif 000002
【特許請求の範囲】
【請求項１】
被調理物から滴下する油脂などを受けて溜めるグリル皿と、前面に開口を有しグリル皿を収納するグリル庫と、グリル庫の前面開口部に位置し前方向に開閉自在なグリル扉と、前記グリル扉に連結されるとともに前記グリル皿に係止されグリル扉の水平移動に連動してグリル皿を引き出す連結部材とを有し、前記グリル庫の内面および前記グリル皿の裏面および前記連結部材の表面にフッ素樹脂を含有する表面処理を施したグリル調理器。
【請求項２】
グリル庫の内面に施した表面処理の表面硬度に対し、グリル皿の裏面および連結部材の表面に施した表面処理の表面硬度を硬く設定した請求項１に記載のグリル調理器。
【請求項３】
グリル庫の内面に施した表面処理をフッ素樹脂塗装とし、グリル皿の裏面および連結部材の表面に施した表面処理をフッ素樹脂含浸メッキとした請求項１または２に記載のグリル調理器。
【発明の詳細な説明】
【技術分野】
【０００１】
本発明は、調理器に具備されるグリルに関し、特に、グリル皿の出し入れ構成に関するものである。
【背景技術】
【０００２】
従来、この種のガスグリル調理器は、グリル庫の前面開口にグリル扉を前方向に開閉自在に設けるとともに、グリル庫の底板上に連結部材によりグリル扉と連結したグリル皿を摺動自在に設置し、グリル扉を前方向に水平移動させたときグリル皿が連動してグリル庫から引き出される構成となっていた（特許文献１参照）。
【特許文献１】特開平６−７０８５４号公報
【発明の開示】
【発明が解決しようとする課題】
【０００３】
しかしながら従来のグリル調理器は、グリルを構成するグリル庫、グリル皿、連結部材はホーロー加工や一般的な耐熱塗装が施されたり、金属生地そのままで構成されおり、グリル皿を出し入れする際にグリル皿や連結部材がグリル庫の内面を擦り、金属同士の摺動あるいは金属とホーローとの摺動となる為、摩擦力が大きくスムーズに出し入れしにくい。また、長期間の使用においては摺動部に削れが発生し摩擦抵抗が更に増大し益々出し入れしにくくなるという課題があった。
【０００４】
本発明は上記従来の課題を解決するもので、グリル構成部品の表面処理の組み合わせでグリル皿の出し入れをスムーズに行えるグリル調理器を提供することを目的とする。
【課題を解決するための手段】
【０００５】
上記の目的を達成するために本発明のグリル調理器は、グリル庫の内面およびグリル皿の裏面および連結部材の表面にフッ素樹脂を含有する表面処理を施したものである。
【０００６】
上記発明によれば、フッ素樹脂を含有する表面処理によりグリル皿の出し入れに伴う部品同士の摺動抵抗を低減することができ、結果として、グリル皿をスムーズに出し入れすることができる。
【発明の効果】
【０００７】
以上のように本発明によれば、摺動する部品の表面に施したフッ素樹脂を含有する表面処理によりグリル皿の出し入れをスムーズに行えるグリル調理器を提供することができる。
【発明を実施するための最良の形態】
【０００８】
第１の発明は、被調理物から滴下する油脂などを受けて溜めるグリル皿と、前面に開口を有しグリル皿を収納するグリル庫と、前記グリル庫の前面開口部に位置し前方向に開閉自在なグリル扉と、前記グリル扉に連結されるとともに前記グリル皿に係止されグリル扉の水平移動に連動してグリル皿を引き出す連結部材とを有し、前記グリル庫の内面および前記グリル皿の裏面および前記連結部材の表面にフッ素樹脂を含有する表面処理を施したことを特徴とするものである。
【０００９】
本実施の形態によれば、従来のようにグリル皿引出し時に、グリル皿、連結部材、グリル庫の内面が金属同士の摺動あるいは金属とホーローとの摺動ではなく、抵抗の少ないフッ素樹脂を含有する表面処理を介して摺動することになり、グリル皿の出し入れに伴う部品同士の摺動抵抗を低減することができ、結果として、グリル皿をスムーズに出し入れすることができる。
【００１０】
第２の発明は、上記第１の発明において、グリル庫の内面に施した表面処理の表面硬度に対し、グリル皿の裏面および連結部材の表面に施した表面処理の表面硬度を硬く設定したことを特徴とするものである。
【００１１】
本実施の形態によれば、グリル庫の内面とグリル皿、連結部材の表面処理を異なるものとすることにより表面硬度に違いを持たせ、この表面高度の違う部材同士の摺動とすることで、同材質同士の摺動に比較し耐久性を向上することができる。
【００１２】
第３の発明は、上記第１または２の発明において、グリル庫の内面に施した表面処理はフッ素樹脂塗装とし、グリル皿の裏面および連結部材の表面に施した表面処理はフッ素樹脂含浸メッキとしたことを特徴とするものである。
【００１３】
本実施の形態によれば、普段のお手入れにおいて頻繁に洗う部材であるグリル皿や連結部材の表面処理を表面硬度の高いフッ素樹脂含浸メッキとしてある為、塗装のように簡単に剥れることなく長期間スムーズに出し入れすることができる。
【００１４】
以上のように本発明のガスコンロは、第１〜第３の発明を実施の形態の要部とすることにより本発明の目的を達成できるので、以下には各請求項に対応する実施の形態の詳細を、図１〜図３を参照して説明し本発明を実施するための最良の形態の説明とする。なお、この実施の形態によって本発明が限定されるものではない。
【００１５】
（実の形態１）
図１は、本発明の実施の形態１におけるグリル調理器の縦断面図、図２は、同グリル調理器の横断面図、図３は、同グリル調理器の要部詳細図である。
【００１６】
図１〜図３において、前面側に開口部６を有する略箱状のグリル庫１と、前記開口部６を開閉自在に塞ぐグリル扉４と、グリル庫１の底面上に調理物からの油などを受止めるグリル皿２が摺動自在に配設され、前記グリル皿２はグリル庫１の両側に設けた出っ張り部１ａと略当接させることで摺動時のガイドの役目を行うように構成している。
【００１７】
また、前記グリル皿２の上方には調理物を載置するためのグリル網３が配設されている。さらに、前記グリル扉４の内側には連結部材５が連結され、この連結部材５とグリル皿２を係止することで、グリル扉４を前方に引き出したとき前記連結部材５を介してグリル皿２を取り出すことができるようになっている。
【００１８】
このとき、グリル皿２は前記グリル庫１の両側に設けた側面出っ張り部１ａとグリル庫１の底側に設けた底面出っ張り部１ｂ及び連結部材５の下端部５ａによりガイドされて前後方向に安定して摺動自在に移動させることができる。
【００１９】
つまり、グリル皿２を出し入れしてグリル調理を行うときは上記した如く、グリル庫１の両側に設けた側面出っ張り部１ａとグリル庫１の底側に設けた底面出っ張り部１ｂ及び連結部材５の下端部５ａにおいて、グリル庫１の内面とグリル皿２およびグリル庫１の底面と連結部材５が接触することになり、この部分でグリル皿２の摺動時の抵抗の大きさが決まることになり、この部分の摺動抵抗を極力小さくする工夫を施すことでグリル皿２を引き出す時のスムーズな動きを確保することができるものである。
【００２０】
本実施の形態では、グリル庫１の内面とグリル皿２およびグリル庫１の底面と連結部材５が接触する部分に特殊な表面処理を施すことで摺動抵抗を小さくするという点に着目し、一般的に用いられるローラ等を使用した機械式で摺動抵抗を小さくする方法に比べて、極めて簡素な構成でグリル皿２のスムーズな引き出し構成を実現するものである。
【００２１】
そして、表面処理として、グリル皿２の摺動時に該グリル皿２と接触する部分に摩擦係数の小さいフッ素樹脂を含有する表面処理を施し摺動抵抗を小さくする。具体的部位としては、前記グリル庫１の内面および前記グリル皿２の裏面および前記連結部材５の表面にフッ素樹脂を含有する表面処理を施する。
【００２２】
また、グリル庫１の内面に施した表面処理の表面硬度に対し、グリル皿２の裏面および連結部材５の表面に施した表面処理の表面硬度を硬く設定する。つまり、グリル庫１の内面とグリル皿２、連結部材５の表面処理を異なるものとすることにより表面硬度に違いを持たせ、この表面高度の違う部材同士を摺動することで、同材質同士の摺動に比較し耐久性を向上するようにしている。
【００２３】
その表面処理の違いとして、グリル庫１の内面に施した表面処理はフッ素樹脂塗装とし、グリル皿２の裏面および連結部材５の表面に施した表面処理はフッ素樹脂含浸メッキとしている。
【００２４】
そして、この表面処理の違いは各部位における表面硬度に違いを持たせるとともに、普段のお手入れにおいて頻繁に洗う部材であるグリル皿２や連結部材５の表面処理を表面硬度の高いフッ素樹脂含浸メッキとすることで、塗装のように簡単に剥れることがなく、長期間においてスムーズにグリル皿２の出し入れ操作を確保することができる。
【００２５】
以上のような構成されたグリル調理器において、グリル扉４を前方へ移動させると、図３のようにグリル扉４に連結された連結部材５および連結部材５により係止されたグリル皿２も同様にグリル庫１の内面を摺動しながら移動する。グリル庫１の内面両側の側面出っ張り部１ａには摩擦係数の小さいフッ素樹脂塗装が施されているので、摺動の際、表面の摺動抵抗が小さくなり、グリル皿２をスムーズに移動させることができる。
【００２６】
また、摺動する部品同士がフッ素樹脂塗装とフッ素含浸メッキであるため、同材質同士の摺動に比べ耐磨耗性を向上させることができる。
【００２７】
更に、普段のお手入れで良く洗うグリル皿２と連結部材５の表面処理を、フッ素樹脂塗装より表面硬度の高いフッ素含浸メッキとしているので、洗う際に剥れたりすることなく、長期間スムーズに出し入れすることができる。
【産業上の利用可能性】
【００２８】
以上のように、本発明のグリル調理器は、グリル皿の出し入れの際に部品が摺動する部分に摩擦係数の小さいフッ素系の表面処理を行っているので、部品同士の滑りがよくスムーズに出し入れすることができ、グリルの構成として有用である。
【図面の簡単な説明】
【００２９】
【図１】本発明の実施の形態１におけるグリル調理器の縦断面図
【図２】同グリル調理器の横断面図
【図３】同グリル調理器の要部拡大図
【符号の説明】
【００３０】
１  グリル庫
２  グリル皿
４  グリル扉
５  連結部材
【図１】
2006109898.tif 000003
【図２】
2006109898.tif 000004
【図３】
2006109898.tif 000005